(57)【要約】  調整可能な展示のためのスタンドは、スタンド上に展示される要素を支持するように構成されたホルダであって、該ホルダの底縁部が、スタンドが設置される表面に接触するように構成された、ホルダと；ホルダに取り付けられるように構成された調整可能な支持部であって、該調整可能な支持部が、第１軸周りに回動可能にホルダと係合するように構成された第１端部と、スタンドが設置される表面と接触するように構成された第２端部と、を有する支持脚と、第２軸周りに回動可能にホルダと係合するように構成された第１端部と、支持脚とスライド可能に係合し且つ支持脚と第３軸周りに回動可能に係合するように構成された第２端部と、を有する調整バーと、を備える、調整可能な支持部と；を備え、支持脚が、最小上昇位置と最大上昇位置との間の且つ最小上昇位置及び最大上昇位置を含む静止位置においてスタンドをロックするように構成されたロック機構を備え、このため、調整バーの第２端部が、ホルダの頂縁部の上昇が停止されるときに支持脚上で静止したままとなる。
2017532692.tif 000002
【特許請求の範囲】
【請求項１】
スタンド上で展示される要素を支持するように構成されたホルダであって、該ホルダの底縁部が、前記スタンドが設置される表面に接触するように構成された、ホルダと；
前記ホルダに取り付けられるように構成された調整可能な支持部であって、該調整可能な支持部が、
第１軸周りに回動可能に前記ホルダと係合するように構成された第１端部と、前記スタンドが設置される前記表面と接触するように構成された第２端部と、を有する支持脚と、
第２軸周りに回動可能に前記ホルダと係合するように構成された第１端部と、前記支持脚とスライド可能に係合し且つ前記支持脚と第３軸周りに回動可能に係合するように構成された第２端部と、を有する調整バーと、
を備える、調整可能な支持部と；
を備える、調整可能な展示のためのスタンドであって、
前記支持脚が、最小上昇位置と最大上昇位置との間の且つ前記最小上昇位置及び前記最大上昇位置を含む静止位置において前記スタンドをロックするように構成されたロック機構を備え、このため、前記調整バーの前記第２端部が、前記ホルダの頂縁部の上昇が停止されるときに前記支持脚上で静止したままとなることを特徴とするスタンド。
【請求項２】
前記ロック機構が、前記支持脚内に設けられたラチェットを備え、前記ラチェットが、前記支持脚の前記第１端部と前記支持脚の前記第２端部との間でスライドするように構成されたラックを備え、
前記調整バーの前記第２端部が、前記ラックに回動可能に接続され、このため、前記ホルダの前記頂縁部を上昇させることが前記ラックを前記支持脚の前記第１端部に向かって前方にスライドさせ、且つ前記ホルダの前記頂縁部を下降させることが前記ラックを前記支持脚の前記第２端部に向かって後方にスライドさせることを特徴とする請求項１に記載のスタンド。
【請求項３】
前記ラチェットが、前記ラックの歯付きセグメントと係合するように構成された歯止めをさらに備え、このため、前記歯止めが前記ラックの前記歯付きセグメントにあるときに前記ラックが一方向においてのみ動くことができることを特徴とする請求項２に記載のスタンド。
【請求項４】
前記歯止めが、前記支持脚に回転可能に取り付けられ、このため、前記歯止めが前記ラックの前記歯付きセグメントにあるときに、前記歯止めが、前記ホルダの前記頂縁部を上昇させる間に前記支持脚の前記第１端部に向かって曲げられ、且つ前記歯止めが、前記ホルダの前記頂縁部を下降させる間に前記支持脚の前記第２端部に向かって曲げられることを特徴とする請求項３に記載のスタンド。
【請求項５】
前記第１軸が、前記ホルダと接しており、且つ前記スタンドが設置される表面と平行であることを特徴とする請求項１から４のいずれか一項に記載のスタンド。
【請求項６】
前記第２軸が、前記第１軸と平行であり、且つ前記第１軸から離れて距離をあけられていることを特徴とする請求項１から５のいずれか一項に記載のスタンド。
【請求項７】
前記第３軸が、前記第１軸と平行であることを特徴とする請求項１から６のいずれか一項に記載のスタンド。
【請求項８】
前記調整可能な支持部が、前記支持脚の前記第１端部及び前記調整バーの前記第１端部が所定距離離れて回動可能に取り付けられた接続部品をさらに備え、前記所定距離が、前記第１軸と前記第２軸との間の距離を規定し、前記接続部品が前記ホルダに不動で取り付けられるように構成されていることを特徴とする請求項１から７のいずれか一項に記載のスタンド。
【請求項９】
前記調整可能な支持部が、前記ホルダの背面の中央部分において前記ホルダに取り付けられていることを特徴とする請求項１から８のいずれか一項に記載のスタンド。
【請求項１０】
前記支持脚の前記第２端部に設けられたフットレストをさらに備え、前記フットレストが、前記支持脚よりも幅が広いことを特徴とする請求項１から９のいずれか一項に記載のスタンド。
【請求項１１】
前記ホルダが、その上に前記要素を支持するように構成された格納可能レッジを含むことを特徴とする請求項１から１０のいずれか一項に記載のスタンド。
【請求項１２】
前記ホルダが、フレームタイプホルダを形成するために組み立てられ且つ前記スタンドによって占める格納スペースを最小化するために折りたたまれるように構成された複数のアームを備えていることを特徴とする請求項１から１１のいずれか一項に記載のスタンド。
【請求項１３】
前記最小上昇位置と前記最大上昇位置との間で前記静止位置にある前記スタンドの傾斜角度が、３０°から７０°の間で変動することを特徴とする請求項１から１２のいずれか一項に記載のスタンド。
【発明の詳細な説明】
【技術分野】
【０００１】
本発明は、調整可能な展示のためのスタンド、特に、要素、例えば電子タブレット、本、芸術作品又は楽譜を見るために調整可能に展示するように構成されたスタンドに関する。
【背景技術】
【０００２】
要素、例えば電子タブレット、本、芸術作品又は楽譜を展示するときに、より見やすくするためにしばしばそれらを下から支えることが好ましい。スタンドは、そのために利用可能であり、通常、その上に要素を載置するためのホルダと、ホルダを上げた状態にしておくための支持部と、を備えている。異なるスタンドの構造は、それら自身の欠点を有し、ユーザの好ましい展示角度に従って立てることが容易であり、要素が頻繁に触れられるタッチスクリーンを有する場合でさえ安定し且つコンパクトに格納することができるスタンドを提供する必要がある。
【発明の概要】
【発明が解決しようとする課題】
【０００３】
例示的な一側面によれば、スタンド上で展示される要素を支持するように構成されたホルダであって、該ホルダの底縁部が、スタンドが設置される表面に接触するように構成された、ホルダと；ホルダに取り付けられるように構成された調整可能な支持部であって、該調整可能な支持部が、第１軸周りに回動可能にホルダと係合するように構成された第１端部と、スタンドが設置される表面と接触するように構成された第２端部と、を有する支持脚と、第２軸周りに回動可能にホルダと係合するように構成された第１端部と、支持脚とスライド可能に係合し且つ支持脚と第３軸周りに回動可能に係合するように構成された第２端部と、を有する調整バーと、を備える、調整可能な支持部と；を備える、調整可能な展示のためのスタンドであって、支持脚が、最小上昇位置と最大上昇位置との間の且つ最小上昇位置及び最大上昇位置を含む静止位置においてスタンドをロックするように構成されたロック機構を備え、このため、調整バーの第２端部が、ホルダの頂縁部の上昇が停止されるときに支持脚上で静止したままとなるスタンドが提供される。
【課題を解決するための手段】
【０００４】
ロック機構が、支持脚内に設けられたラチェットを備え、ラチェットが、支持脚の第１端部と支持脚の第２端部との間でスライドするように構成されたラックを備え、調整バーの第２端部が、ラックに回動可能に接続され、このため、ホルダの頂縁部を上昇させることがラックを支持脚の第１端部に向かって前方にスライドさせ、且つホルダの頂縁部を下降させることがラックを支持脚の第２端部に向かって後方にスライドさせてもよい。
【０００５】
ラチェットが、ラックの歯付きセグメントと係合するように構成された歯止めをさらに備え、このため、歯止めがラックの歯付きセグメントにあるときにラックが一方向においてのみ動くことができてもよい。
【０００６】
歯止めが、支持脚に回転可能に取り付けられ、このため、歯止めがラックの歯付きセグメントにあるときに、歯止めが、ホルダの頂縁部を上昇させる間に支持脚の第１端部に向かって曲げられ、且つ歯止めが、ホルダの頂縁部を下降させる間に支持脚の第２端部に向かって曲げられてもよい。
【０００７】
第１軸が、ホルダと接しており、且つスタンドが設置される表面と平行であってもよい。
【０００８】
第２軸が、第１軸と平行であり且つ第１軸から離れて距離をあけられてもよい。
【０００９】
第３軸が、第１軸と平行であってもよい。
【００１０】
調整可能な支持部が、支持脚の第１端部及び調整バーの第１端部が所定距離離れて回動可能に取り付けられた接続部品をさらに備え、所定距離が、第１軸と第２軸との間の距離を規定し、接続部品がホルダに不動で取り付けられるように構成されていてもよい。
【００１１】
調整可能な支持部が、ホルダの背面の中央部分においてホルダに取り付けられてもよい。
【００１２】
スタンドが、支持脚の第２端部に設けられたフットレストをさらに備え、フットレストが、支持脚よりも幅が広くてもよい。
【００１３】
ホルダが、その上に要素を支持するように構成された格納可能レッジを含んでもよい。
【００１４】
ホルダが、フレームタイプホルダを形成するために組み立てられ且つスタンドによって占める格納スペースを最小化するために折りたたまれるように構成された複数のアームを備えていてもよい。
【００１５】
最小上昇位置と最大上昇位置との間で静止位置にあるスタンドの傾斜角度が、３０°から７０°の間で変動してもよい。
【００１６】
本発明を完全に理解するため且つ実際の効果を容易に把握するために、非限定的な例を用いて本発明の単に例示的な実施形態が説明され、説明は、添付の実例となる図面を参照する。
【図面の簡単な説明】
【００１７】
【図１】本発明のスタンドにおける例示的な第１の一実施形態の等角正面図である。
【図２】図１のスタンドの等角背面図である。
【図３】格納位置でのスタンドの調整可能な支持部の側面図である。
【図４】最小上昇位置での調整可能な支持部の側面図である。
【図５】最大上昇位置での調整可能な支持部の側面図である。
【図６】最終解放位置での調整可能な支持部の側面図である。
【図７】下降位置での調整可能な支持部の側面図である。
【図８（ａ）】格納位置での調整可能な支持部の等角図である。
【図８（ｂ）】格納位置での調整可能な支持部のロック機構の等角図である。
【図８（ｃ）】格納位置での調整可能な支持部のロック機構の平面図である。
【図９】上昇位置でのロック機構の平面図である。
【図１０】最大上昇位置でのロック機構の平面図である。
【図１１（ａ）】最終解放位置でのロック機構の平面図である。
【図１１（ｂ）】最終解放位置でのロック機構の等角図である。
【図１１（ｃ）】最終解放位置での調整可能な支持部の等角図である。
【図１２】復帰位置での調整可能な支持部の平面図である。
【図１３】スタンドの例示的な第２の一実施形態の等角図である。
【図１４】スタンドの例示的な第３の一実施形態の等角図である。
【図１５】図１４のスタンドの別の一形態の等角図である。
【発明を実施するための形態】
【００１８】
本発明の例示的な実施形態が、図１から図１５を参照して説明される。
【００１９】
スタンド１０は、その上で展示される要素、例えばタブレット又はスマートフォンを支持するように構成されたホルダ２０と、ホルダ２０を調整可能に支持するように構成された調整可能な支持部３０と、を備えている。図６及び図８から図１２では、調整可能な支持部３０をより明確にするために、ホルダ２０は示されていない。図１及び図２に示されるように、一実施形態では、ホルダ２０は、その上に要素を載置するためにレッジ２４を有するパネル２２を備えている。レッジ２４は、好ましくは、パネル２２の底縁部２５に取り付けられている。使用中に、ホルダ２０の底縁部２５は、スタンド１０が設置される表面９０上に載っている。ホルダ２０の頂縁部２８の高さは、ホルダ２０の傾斜角度を調整するために且つホルダ２０上の要素の展示の角度に従って調整可能である。
【００２０】
ホルダ２０は、ホルダ２０の背面にある取付範囲２３において調整可能な支持部３０と係合するように構成されている。取付範囲２３は、好ましくは、ホルダ２０の中央部分にある。ホルダ２０がホルダ２０の底縁部２５においてのみ支持される既存のスタンドと比較すると、ホルダ２０の中央部分においてホルダ２０を係合させることは、ホルダ２０の固定性を向上させ、それにより、特に、要素がタッチスクリーンを有し、このため、ユーザが使用中にスタンド１０上の要素に触れる場合に、スタンド１０上の要素の揺れ又は振動を最小化させる。
【００２１】
調整可能な支持部３０は、第１軸Ｈ１周りに回動可能にホルダ２０と係合するように構成された支持脚４０を備えている。第１軸Ｈ１は、好ましくは、ホルダ２０に接しており、且つスタンド１０が設置される表面９０と平行である。例示的な実施形態では、図２から分かるように、これは、ホルダ２０上の取付範囲２３においてヒンジを介してホルダ２０に取り付け可能である支持脚４０の第１端部４０−１を有することによって達成される。支持脚４０の第２端部４０−２は、スタンド１０が設置される表面９０と自由に接触できる。好ましくは、フットレスト４２が、支持脚４０の第２端部４０−２に設けられている。フットレスト４２は、好ましくは、より良好な安定性を使用時のスタンド１０に与えるために支持脚４０よりも幅が広い。
【００２２】
調整可能な支持部３０は、第２軸Ｈ２周りに回動可能にホルダ２０と係合するように構成された調整バー５０をさらに備えている。第２軸Ｈ２は、好ましくは、第１軸Ｈ１と接しており、且つ第１軸から離れて距離をあけられている。調整バーは、支持脚４０とスライド可能且つ回動可能に係合するようにも構成されている。調整バー５０は、支持脚４０と第３軸Ｈ３周りに回動可能に係合する。第３軸Ｈ３は、好ましくは、第１軸Ｈ１と平行である。例示的な実施形態では、図２から分かるように、これは、ホルダ２０上の取付範囲２３においてヒンジを介してホルダ２０に取り付け可能である調整バー５０の第１端部５０−１を有することによって達成される。調整バー５０の第２端部５０−２が、支持脚４０における第１端部４０−１と第２端部４０−２との間で調整バー５０において支持脚４０とスライド可能に係合するように構成されている。
【００２３】
スタンド１０は、支持脚４０及び調整バー５０がホルダ２０に取り付けられるときに、調整バー５０の第１端部５０−１がホルダ２０上の支持脚４０の第１端部４０−１から離れて距離をあけられ且つ第１端部４０−１の上に位置付けられる、すなわち、第２軸Ｈ２が第１軸Ｈ１の上に位置付けられ且つ第１軸Ｈ１から離れて距離をあけられるように構成されている。このように、ホルダ２０の頂縁部２８を上昇させること、すなわち、頂縁部２８を支持脚の第２端部４０−２から離れるように動かすことは、調整バー５０の第２端部５０−２を支持脚４０の第１端部４０−１に向かってスライドさせる一方で、ホルダ２０の頂縁部２８を下降させること、すなわち、頂縁部２８を支持脚４０の第２端部４０−２に向かって動かすことは、調整バー５０の第２端部５０−２を支持脚４０の第２端部４０−２に向かってスライドさせ、それにより、表面９０に対するホルダ２０の傾斜角度αの調整を可能にする。
【００２４】
調整バー５０の第２端部５０−２が支持脚４０に沿ってスライドする間、調整バー５０は第３軸Ｈ３周りに回動する。従って、第１軸Ｈ１及び第２軸Ｈ２がホルダ２０の底縁部２５に対して不動なままとなる一方で、第３軸Ｈ３は、ホルダ２０の頂縁部２８を上昇させるか又は下降させるときそれぞれに、支持脚４０における第１端部４０−１に向かって前方に又は第２端部４０−２に向かって後方に動かされることに留意されたい。
【００２５】
図に示されるように例示的な実施形態では、調整可能な支持部３０は、好ましくは、支持脚４０の第１端部４０−１及び調整バー５０の第１端部５０−１が所定距離離れて回動可能に取り付けられている接続部品４５をさらに備えている。この所定距離は、上述した第１軸Ｈ１と第２軸Ｈ２との間の距離を規定する。支持脚４０及び調整バー５０は、取付範囲２３において接続部品４５をホルダ２０に不動で取り付けることによって、接続部品４５を介してホルダ２０に回動可能に取り付けられている。図では、接続部品４５は、シンプルなネジによってホルダ２０に取り付けられたシンプルな矩形部品として示されている。別の実施形態では、接続部品４５は、任意の他の形状又は形態を備えてもよく、且つ支持脚４０の第１端部４０−１及び調整バー５０の第１端部５０−１を不動の第１軸Ｈ１及び第２軸Ｈ２周りに回動させるために接続部品４５に取り付けることができるのであれば、任意の適切な手段によってホルダに取り付けられてもよい。
【００２６】
ロック機構６０が、支持脚４０における頂部ケーシング４１と底部ケーシング４３との間で支持脚４０内に含まれている。ロック機構６０は、頂部ケーシング４１が隠された図８（ｂ）から図１１（ｂ）及び図１２で見ることができる。ロック機構６０は、最小上昇位置と、頂縁部２８の上昇及び調整バー５０における支持脚４０の第１端部４０−１に向かうスライドが停止させられるときの最大上昇位置と、の間の且つ最小上昇位置及び最大上昇位置を含む静止位置においてスタンド１０をロックし、このため、図１、図２、図４及び図５に示されるように調整バー５０の第２端部５０−２が支持脚４０上で静止したままとなるように構成されている。
【００２７】
ロック機構６０は、図８（ｂ）から図１１（ｂ）及び図１２に示されるように直線形ラック６２及び歯止め６４を有するラチェットを備えている。ラック６２は、支持脚４０における第１端部４０−１と第２端部４０−２との間を支持脚４０内でスライドするように構成されている。ラック６２は、ラック６２の１つの縁部に沿って突出歯付きセグメント６３を有している。歯付きセグメント６３は、一様であり且つ対称的に傾斜した複数の歯を有している。上述したように、調整バー５０は、支持脚４０と第３軸Ｈ３周りに回動可能に係合している。これは、調整バー５０の第２端部５０−２を支持脚４０内のスライド可能ラック６２に回転可能に接続させることによって達成される。コネクタ６９が、ラック６２を調整バー５０の第２端部５０−２と回転可能に接続させるためにラック６２上に設けられている。図２及び図１１（ｃ）に示されるように、支持脚４０の頂部ケーシング４１には、スロット４９が設けられ、これにより、スロット４９を通じてコネクタ６９の通路を可能にし、ラック６２を調整バー５０に接続させるとともに、ラック６２が頂部ケーシング４１の下に隠れたままとなる。
【００２８】
歯止め６４は、ラック６２の歯と係合するように構成された矩形のロック可能端部６５を有している。歯止め６４は、ピボット６６周りに回転可能であり、且つ図８（ｂ）、図８（ｃ）、図１１（ａ）及び図１１（ｂ）に示されるように中央位置に向かってバネ６８によって付勢されている。中央位置では、（図８（ｃ）、図１１（ａ）及び図１１（ｂ）に示されるように）歯止め６４がラック６２の歯付きセグメント６３に沿う場所にないときに、歯止めのロック可能端部６５は、支持脚４０における第１端部４０−１又は第２端部４０−２のどちらに向かっても曲げられないように中立的に方向づけられている。歯止め６４が歯付きセグメント６３と係合すると、ロック可能端部６５は、支持脚４０における第１端部４０−１又は第２端部４０−２に向かって曲げられ、これに応じて、スタンド１０が以下でさらに説明されるような状態となる。ラック６２及び歯止め６４は、歯止め６４がラック６２の歯付きセグメント６３にあるときにラック６２が一方向にのみ動くことができるように構成されている。
【００２９】
スタンド１０が図３及び図８（ａ）に示されるように格納位置にあるときに、（図８ａに図示されない）ホルダ２０、支持脚４０及び調整バー５０は、好ましくは、互いに隣接して平行なままとなり、これにより、格納されるスタンド１０によって占めるスペースを最小化させる。格納位置では、図８（ｂ）及び図８（ｃ）に示されるように、ラック６２は、先端後方位置、支持脚４０の第２端部４０−２にあり、このため、歯付きセグメント６３が歯止め６４と接触しない。格納位置以外では、スタンド１０は、上昇段階又は降下段階のどちらかにある。
【００３０】
表面９０に対するホルダ２０の傾斜角度αを大きくするための上昇段階、すなわち、使用するためにスタンド１０を立てる間、（図４に示されるように）下向きの力Ａ１が支持脚４０における第２縁部４０−２又はフットレスト４２に加えられる一方で、上向きの力Ａ２がホルダ２０の頂縁部２８に加えられ、それにより、ホルダ２０の頂縁部２８を上昇させる一方で、ホルダ２０の底縁部２５は表面９０と接触したままとなる。ホルダ２０の頂縁部２８が上昇されると、調整バー５０の第２端部５０−２は、支持脚４０の第１端部４０−１に向かって支持脚４０に沿ってスライドし、それにより、ラック６２を支持脚４０の第１端部４０−１に向かって前方に動かす。
【００３１】
力Ａ１及びＡ２を継続的に加えることは、聞こえる第１のクリック音をもたらし、ホルダ２０が図４に示されるように最小上昇位置まで傾斜されたことを知らせる。最小上昇位置では、力Ａ１及びＡ２を加えることをやめると、ホルダ２０及び調整バー３０に作用する重力が、支持脚４０の第２端部４０−２に向かってラック６２を後方に押す傾向がある。しかしながら、歯止め６４のロック可能端部６５が、ラック６２の歯付きセグメント６３に沿って最も前方の（支持脚４０の第１端部４０−１に最も近い）歯と係合し、ラック６２の後方への移動に抵抗し、このため、スタンド１０は、最小の静止傾斜角度でホルダ２０が静止したままとなる。この位置では、ロック可能端部６５は、支持脚４０の第１端部４０−１に向かって曲げられ、それにより、ラック６２の後方への移動を妨害する。
【００３２】
最小上昇位置に達した後に力Ａ１及びＡ２をさらに加えることは、第１の傾斜静止角度を超えて傾斜角度αを大きくさせることに達する。このようにすることは、ラック６２を（図９に示される）矢印Ｂ１によって示されるように支持脚４０の第１端部４０−１により近く前方に動かす一方で、ロック可能端部６５は、支持脚４０の第１端部４０−１に向かって曲げられたままとなる。
【００３３】
力Ａ１及びＡ２を加えることをやめるとともに、（図９に示されるように）歯止め６４が上昇段階において歯付きセグメント６３に沿う場所にあると、歯止め６４のロック可能端部６５は、支持脚４０の第１端部４０−１に向かって所定角度で歯付きセグメント６３上の歯と係合する。これは、ラック６２が後方に動くことができることを防止し、それにより、支持脚４０上の調整バー５０をロックする。従って、スタンド１０は、中間上昇位置で静止した状態となる。
【００３４】
力Ａ１及びＡ２をさらに加えることにより、図５に示されるように最大上昇位置に達する。最大上昇位置では、歯止め６４のロック可能端部６５は、（図１０に示されるように）ラック６２の歯付きセグメント６３に沿って最も後方の（支持脚４０の第２端４０−２に最も近い）歯と係合し、このため、力Ａ１及びＡ２を加えることをやめると、スタンド１０は、最大の静止傾斜角度でホルダ２０が静止したままとなる。
【００３５】
従って、スタンド１０の頂縁部２８が、（図４に示される）最小上昇位置と（図５に示される）最大上昇位置との間で上昇されると、頂縁部２８の上昇を停止させることは、図９に示されるようにロック機構が所定位置にあり、最小の傾斜静止角度と最大の傾斜静止角度との間の中間の傾斜角度でホルダ２０が静止したままとなるスタンド１０をもたらす。想定される実施形態では、最小の傾斜静止角度は３０°である一方で最大の傾斜静止角度は７５°であるが、スタンド１０は、代わりに、０°から９０°の間でホルダ２０の他の範囲の最小及び最大傾斜を提供するように構成されてもよい。
【００３６】
スタンド１０が静止位置にあるときはいつでも力Ｆが図５に示されるようにホルダ１０に作用することに留意されたい。この力Ｆは、ホルダ２０及び調整バー５０の重量の成分と、スタンド１０上に設置される要素（もしあれば）の重量の成分と、を含んでいる。力Ｆは、調整バー５０の第１端部５０−１がホルダ２０の中央部分２３に取り付けられることに起因して支持脚４０における第２端部４０−２又はフットレスト４２に伝達される。
【００３７】
力Ａ１及びＡ２をさらに加えること、すなわち、最大上昇位置に達した後に頂縁部２８を上昇させることは、最大の静止傾斜角度を超える最終角度まで傾斜角度αを大きくし、この最終角度では、図１１（ｃ）に示されるように最終解放位置に達する。図６に示される例示的な実施形態では、最終解放位置での最終角度は１００°である。最終解放位置では、図１１（ａ）及び図１１（ｂ）に示されるように、ラック６２が先端前方位置、支持脚４０の第１端部４０−１にあり、このため、歯付きセグメント６３は歯止め６４と接触しない。
【００３８】
従って、上昇段階は、ラック６２が支持脚４０における第２端部４０−２から第１端部４０−１へ一方向においてのみ動くことができ且つ歯止め６４がラック６２の歯付きセグメント６３に沿う場所にあるときにスタンド１０の頂縁部２８を上昇させることをやめることがスタンド１０を静止上昇位置にとどまらせることをもたらす段階である。
【００３９】
下降段階は、図１１（ｃ）に示されるようにスタンド１０が最終解放位置にあるときに始まる。下降段階では、力Ａ１及びＡ２を加えることをやめると、ホルダ２０及び調整バー３０に作用する重力がラック６２を後方に押す傾向がある。歯止め６４がラック６２と接触しないので、ラックは、図１２に示されるように矢印Ｂ２の方向に後方に動くことができ、それにより、支持脚４０の第２端部４０−２に向かって曲げるために歯止め６４のロック可能端部６５を押す。これは、歯止め６４のロック可能端部６５がラック６２の後方への移動を妨害しないので、ラック６２が後方に継続的に動くことを可能にする。力Ａ２が頂縁部２８に作用しないと、下降段階では、スタンド１０は、静止したままとなることができず、頂縁部２８は、重力を受けて下方へ後退し、すなわち、ホルダ２０は、その傾斜角度をなくし、図７に示されるように下降位置へ下がる。下降位置では、ホルダ２０の頂縁部２８へ下向きの力Ａ３を加えることが、スタンド１０を図３に示されるように格納位置へ戻す。
【００４０】
スタンド１０の例示的な第２の一実施形態では、図１３に示されるように、ホルダ２０には、レッジ２４に加えて格納可能レッジ８０が設けられている。格納可能レッジ８０は、レッジ２４よりも幅が広いように構成され、これにより、ホルダ２０が、より厚い要素、例えば本を支持することができることを可能にし、且つレッジ２４上にタブレット又はスマートフォンを支持することができる。格納可能レッジ８０は、好ましくは、パネル２２の底縁部に隣接してヒンジ結合され、（図１３（ａ）に示されるように）格納可能レッジ８０が使用されないときにパネル２２内に格納可能レッジ８０を収容できるように凹所８２がパネル２２に設けられてもよく、これにより、ホルダ２０上のいかなる障害物の原因にもならない。この実施形態では、格納可能レッジ８０は、フリップダウン形態といえるかもしれない。
【００４１】
スタンド１０の例示的な第３の一実施形態では、図１４及び図１５に示されるように、スタンド１０のホルダ２０は、パネル２２の代わりに複数のアームを備え、これらアームは、（図１４（ａ）に示されるように）フレームタイプホルダ２０を形成するために組み立てられるか又は（図１４（ｂ）に示されるように）スタンド１０によって占める格納スペースを最小化させるように完全に折りたたむことができる。示されるホルダ２０は、１つの固定アーム９１、２つの回転可能アーム９２，９３及び回転可能レッジ９４を備えている。固定アーム９１は、接続部品４５に固定して取り付けられ、接続部品４５から中央において上方に突出している。各回転可能アーム９２，９３の一端は、固定アーム９１の両側で接続部品４５に回転可能に取り付けられ、各回転可能アーム９２，９３の自由端を位置決めして固定アーム９１から外側に離れるように所定角度で表面９０に接触させることを可能にする。図１４（ｃ）から分かるように、回転可能レッジ９４の一端は、回転可能アーム９３の自由端に回転可能に取り付けられる一方で、格納可能レッジ９４の自由端は凹所９５を備える。ノブ９６が、凹所９５と係合するために回転可能アーム９４の他方の自由端に設けられ、このため、回転可能レッジ９４は、ノブ９６が凹所９５内に係合するときに三角形の２つの等しい辺のために２つの回転可能アーム９３，９４を有する二等辺三角形の基部を形成する。ホルダ２０の頂縁部２８は、図１５（ａ）に示されるように、固定アーム９１の頂端部に位置付けられ、且つ接続部品４５に対して延ばされてもよく、これにより、スタンド１０上でより大きい要素を収容できる。固定アーム９１の詳細な背面図は、固定アーム９１が、どのように接続部品４５に取り付けられた不動部分９１ａと、不動部分９１ａに対してスライド可能且つロック可能に係合するように構成された可動部分９１ｂと、を備え、頂縁部２８が接続部品４５から延ばされるか又はそれに応じて引き込められることを可能とするかを示している。この実施形態では、回転可能レッジ９４は、ホルダ２０を折りたたむときにアーム９２，９３とともに外側に回転できるので格納可能レッジ９４といえるかもしれない。
【００４２】
従って、さまざまな実施形態で上述されたスタンド１０は、要素、例えばＰＣタブレット、スマートフォン、デジタイザ、本、絵などのための多目的の展示スタンドとして調整可能且つ安定的な支持部を提供する。スタンド１０は、製造中にそのさまざまな部分の寸法及びサイズを変更することによってカスタマイズすることができる。ラチェット及び歯止めを備えるロック機構を設けることによって、ラチェットの歯付きセグメント上により多くの歯を設けることで、ユーザは、スタンドを展示のより多くの可能な角度に調整することができる。従って、ラックの歯付きセグメントが、通常、優に１０よりも多い相当数の歯を備えるので、展示角度の極めて良好な調整が、任意のユーザの好みに合わせてなすことができる。かなりの程度で、スタンド１０は、使用しないときに最小のスペースを占めるようにコンパクトに折りたたむことができる。
【００４３】
以上の説明で本発明の例示的な実施形態が説明されたが、構成、建造及び／又は操作の細部における多くの修正が本発明から逸脱することなくなされてもよいことが当業者によって理解される。例として、ラック６２が、ラック６２が先端後方位置にあるときに、その後の上昇段階中に、スタンド１０の頂縁部２８が上昇されるときに、最小上昇位置に達する前に、すなわち、格納位置と最小上昇位置との間で、歯止め６４とラック６２の歯付きセグメント６３との間にかなりのスペースが設けられるように構成される場合、力Ａ１及びＡ２を除去することは、頂縁部２８が重力を受けて下方に後退することをもたらし、すなわち、ラック６２が、歯止め６４が最小上昇位置でラック６２上の第１の歯と係合することを可能とするために十分に前方に動かされないので、ホルダ２０は、その傾斜角度をなくす。例示的な第１及び第２の実施形態のホルダは、全体として矩形パネルの形態で示されたが、ホルダは、それでもなおスタンド上に展示される要素を支持することができる、例えば半円形パネル又は任意の他の装飾的な形状のパネルのような他の考えられる形態を有してもよい。
【符号の説明】
【００４４】
１０  スタンド、２０  ホルダ、２５  底縁部、２８  頂縁部、３０  調整可能な支持部、４０  支持脚、４０−１  第１端部、４０−２  第２端部、４２  フットレスト、４５  接続部品、５０  調整バー、５０−１  第１端部、５０−２  第２端部、６０  ロック機構、６２  ラック、６３  歯付きセグメント、６４  歯止め、８０  格納可能レッジ、９０  表面、９１，９２，９３  アーム、Ｈ１  第１軸、Ｈ２  第２軸、Ｈ３  第３軸
【図１】
2017532692.tif 000003
【図２】
2017532692.tif 000004
【図３】
2017532692.tif 000005
【図４】
2017532692.tif 000006
【図５】
2017532692.tif 000007
【図６】
2017532692.tif 000008
【図７】
2017532692.tif 000009
【図８（ａ）】
2017532692.tif 000010
【図８（ｂ）】
2017532692.tif 000011
【図８（ｃ）】
2017532692.tif 000012
【図９】
2017532692.tif 000013
【図１０】
2017532692.tif 000014
【図１１（ａ）】
2017532692.tif 000015
【図１１（ｂ）】
2017532692.tif 000016
【図１１（ｃ）】
2017532692.tif 000017
【図１２】
2017532692.tif 000018
【図１３（ａ）】
2017532692.tif 000019
【図１３（ｂ）】
2017532692.tif 000020
【図１４（ａ）】
2017532692.tif 000021
【図１４（ｂ）】
2017532692.tif 000022
【図１４（ｃ）】
2017532692.tif 000023
【図１５（ａ）】
2017532692.tif 000024
【図１５（ｂ）】
2017532692.tif 000025
【手続補正書】
【提出日】平成26年10月29日(2014.10.29)
【手続補正１】
【補正対象書類名】特許請求の範囲
【補正対象項目名】全文
【補正方法】変更
【補正の内容】
【特許請求の範囲】
【請求項１】
スタンド上で展示される要素を支持するように構成されたホルダであって、該ホルダの底縁部が、前記スタンドが設置される表面に接触するように構成された、ホルダと；
前記ホルダに取り付けられるように構成された調整可能な支持部であって、該調整可能な支持部が、
第１軸周りに回動可能に前記ホルダと係合するように構成された第１端部と、前記スタンドが設置される前記表面と接触するように構成された第２端部と、を有する支持脚と、
第２軸周りに回動可能に前記ホルダと係合するように構成された第１端部と、前記支持脚とスライド可能に係合し且つ前記支持脚と第３軸周りに回動可能に係合するように構成された第２端部と、を有する調整バーと、
を備える、調整可能な支持部と；
を備える、調整可能な展示のためのスタンドであって、
前記支持脚が、最小上昇位置と最大上昇位置との間の且つ前記最小上昇位置及び前記最大上昇位置を含む静止位置において前記スタンドをロックするように構成されたロック機構を備え、このため、前記調整バーの前記第２端部が、前記ホルダの頂縁部の上昇が停止されるときに前記支持脚上で静止したままとなり、
前記ロック機構が、前記支持脚内に設けられたラチェットを備え、前記ラチェットが、前記支持脚の前記第１端部と前記支持脚の前記第２端部との間でスライドするように構成されたラックを備え、
前記調整バーの前記第２端部が、前記ラックに回動可能に接続され、このため、前記ホルダの前記頂縁部を上昇させることが前記ラックを前記支持脚の前記第１端部に向かって前方にスライドさせ、且つ前記ホルダの前記頂縁部を下降させることが前記ラックを前記支持脚の前記第２端部に向かって後方にスライドさせることを特徴とするスタンド。
【請求項２】
前記ラチェットが、前記ラックの歯付きセグメントと係合するように構成された歯止めをさらに備え、このため、前記歯止めが前記ラックの前記歯付きセグメントにあるときに前記ラックが一方向においてのみ動くことができることを特徴とする請求項１に記載のスタンド。
【請求項３】
前記歯止めが、前記支持脚に回転可能に取り付けられ、このため、前記歯止めが前記ラックの前記歯付きセグメントにあるときに、前記歯止めが、前記ホルダの前記頂縁部を上昇させる間に前記支持脚の前記第１端部に向かって曲げられ、且つ前記歯止めが、前記ホルダの前記頂縁部を下降させる間に前記支持脚の前記第２端部に向かって曲げられることを特徴とする請求項２に記載のスタンド。
【請求項４】
前記第１軸が、前記ホルダと接しており、且つ前記スタンドが設置される表面と平行であることを特徴とする請求項１から３のいずれか一項に記載のスタンド。
【請求項５】
前記第２軸が、前記第１軸と平行であり、且つ前記第１軸から離れて距離をあけられていることを特徴とする請求項１から４のいずれか一項に記載のスタンド。
【請求項６】
前記第３軸が、前記第１軸と平行であることを特徴とする請求項１から５のいずれか一項に記載のスタンド。
【請求項７】
前記調整可能な支持部が、前記支持脚の前記第１端部及び前記調整バーの前記第１端部が所定距離離れて回動可能に取り付けられた接続部品をさらに備え、前記所定距離が、前記第１軸と前記第２軸との間の距離を規定し、前記接続部品が前記ホルダに不動で取り付けられるように構成されていることを特徴とする請求項１から６のいずれか一項に記載のスタンド。
【請求項８】
前記調整可能な支持部が、前記ホルダの背面の中央部分において前記ホルダに取り付けられていることを特徴とする請求項１から７のいずれか一項に記載のスタンド。
【請求項９】
前記支持脚の前記第２端部に設けられたフットレストをさらに備え、前記フットレストが、前記支持脚よりも幅が広いことを特徴とする請求項１から８のいずれか一項に記載のスタンド。
【請求項１０】
前記ホルダが、その上に前記要素を支持するように構成された格納可能レッジを含むことを特徴とする請求項１から９のいずれか一項に記載のスタンド。
【請求項１１】
前記ホルダが、フレームタイプホルダを形成するために組み立てられ且つ前記スタンドによって占める格納スペースを最小化するために折りたたまれるように構成された複数のアームを備えていることを特徴とする請求項１から１０のいずれか一項に記載のスタンド。
【請求項１２】
前記最小上昇位置と前記最大上昇位置との間で前記静止位置にある前記スタンドの傾斜角度が、３０°から７０°の間で変動することを特徴とする請求項１から１１のいずれか一項に記載のスタンド。
【国際調査報告】
2017532692.tif 000026
2017532692.tif 000027
2017532692.tif 000028